(57)【特許請求の範囲】
【請求項１】
床大梁に床小梁を架設し、床小梁の上に床面材を載置してなる建物ユニットの床構造において、
床小梁を、上面が床大梁の上面よりも高位になるように上方にずらして設置し、床大梁の上部に設備用スペースを形成してなることを特徴とする建物ユニットの床構造。
【請求項２】
床大梁に床小梁を架設し、床小梁の上に床面材を載置してなる建物ユニットの床構造において、
床小梁の上面に断続的に複数の床受部品をかしめ接合し、この床受部品の床大梁上面よりも高位に設けられた上面板に床面材を載置し、床大梁の上部に設備用スペースを形成してなることを特徴とする建物ユニットの床構造。
【請求項３】
前記床小梁に設備用孔を貫通形成してなる請求項１又は２記載の建物ユニットの床構造。
【請求項４】
前記床小梁の上に厚肉床面材と薄肉床面材を並置するに際し、
厚肉床面材は床小梁の上に直接もしくは背の低い床受部品を介して支持されるとともに、薄肉床面材は床小梁の上に背の高い床受部品を介して支持されて、
厚肉床面材と薄肉床面材の表面の仕上面高さを揃えてなる請求項２に記載の建物ユニットの床構造。
【発明の詳細な説明】
【０００１】
【発明の属する技術分野】
本発明は建物ユニットの床構造に関する。
【０００２】
【従来の技術】
従来、配管等の設備用部材の設置スペースを確保可能とする建物ユニットの床構造として、特開平5-295798号公報に記載の如く、凸字形状の根太を用い、根太の両端部を両側の床大梁に掛け渡し、根太の中高状中間部の上に床面材を載置したものがある。これにより、床大梁と床面材との間に、設備用スペースとなる隙間を形成し、この設備用スペースを通じて相隣る他の建物ユニットとの間で配管部位を接続可能とするものである。
【０００３】
【発明が解決しようとする課題】
然しながら、従来技術では、床面材を床大梁より上方に設置するために、根太を凸字形状とする必要があり、構成複雑である。
【０００４】
また、根太の中高状中間部に対し両端部を段差状に切欠いて凸字形状を得るものであり、その段差部が切欠効果により脆弱となり、根太の断面強度を損なう。
【０００５】
本発明の課題は、床構成材の構成を簡素にするとともに、その断面強度を損なうことなく、床面材の下方に簡易に設備用スペースを形成することにある。
【０００６】
【課題を解決するための手段】
請求項１に記載の本発明は、床大梁に床小梁を架設し、床小梁の上に床面材を載置してなる建物ユニットの床構造において、床小梁を、上面が床大梁の上面よりも高位になるように上方にずらして設置し、床大梁の上部に設備用スペースを形成してなるようにしたものである。
【０００７】
請求項２に記載の本発明は、床大梁に床小梁を架設し、床小梁の上に床面材を載置してなる建物ユニットの床構造において、
【０００８】
床小梁の上面に断続的に複数の床受部品をかしめ接合し、この床受部品の床大梁上面よりも高位に設けられた上面板に床面材を載置し、床大梁の上部に設備用スペースを形成してなるようにしたものである。
【０００９】
請求項３に記載の本発明は、請求項１又は２に記載の本発明において更に、前記床小梁に設備用孔を貫通形成してなるようにしたものである。
【００１０】
請求項４に記載の本発明は、請求項２又は３に記載の本発明において更に、前記床小梁の上に厚肉床面材と薄肉床面材を並置するに際し、厚肉床面材は床小梁の上に直接もしくは背の低い床受部品を介して支持されるとともに、薄肉床面材は床小梁の上に背の高い床受部品を介して支持されて、厚肉床面材と薄肉床面材の表面の仕上面高さを揃えてなるようにしたものである。
【００１１】
【作用】
請求項１の本発明によれば下記▲１▼〜▲３▼の作用がある。
▲１▼床大梁に床小梁を支持し、床小梁に床面材を支持するに際し、単に、床小梁の上面を床大梁の上面よりも高位に設置することにより、床小梁を凸字形状にすることなく、床大梁の上部、床面材の下方に設備用スペースを形成できる。
【００１２】
▲２▼上記▲１▼において、床小梁は上面に凹凸のない、製造容易な簡易な構成となり、また切欠効果による断面強度の低下を伴うこともない。
【００１３】
▲３▼上記▲１▼において、床小梁は通常、床大梁より低剛性で足りるから、その梁背は床大梁より高くならず、結果として、床小梁の下面は床大梁の下面より高位となり、床小梁の下側に一定の隙間を形成するものとなり、この隙間を設備用スペースとして利用することもできる。これにより、床下における配管類の設置ルートの自由度が高くなる。
【００１４】
請求項２の本発明によれば下記(4)〜(6)の作用がある。
(4)床大梁に床小梁を支持し、床小梁に床面材を支持するに際し、床小梁と床面材との
間に床受部品を介装するものであり、床小梁を凸字形状にすることなく、床大梁の上部、床面材の下方に設備用スペースを形成できる。
【００１５】
▲５▼上記▲４▼において、床小梁は上面に凹凸のない、製造容易な簡易な構成となり、また切欠効果による断面強度の低下を伴うこともない。
【００１６】
▲６▼上記▲４▼において、床小梁の床受部品が設けられない部分と床面材との間に、床受部品の背の高さに応ずる一定の隙間を形成するものとなり、この隙間を設備用スペースとして利用することもできる。従って、床下における配管類の設置ルートの自由度が高くなり、かつ配管類を床小梁の上に単に乗せるだけで簡易に設備できるものともなる。
【００１７】
請求項３の本発明によれば下記▲７▼の作用がある。
▲７▼床小梁に設備用孔を貫通形成したことにより、床下における配管類の設置ルートを多様に設定できる。
【００１８】
請求項４の本発明によれば下記▲８▼の作用がある。
▲８▼床小梁の上における床受部品の有無、或いは床受部品の背の高さの大小の選定により、同一床小梁の上で厚肉床面材と薄肉床面材とを並置し、かつそれらの表面の仕上面高さを揃えることができる。従って、同一建物ユニット内で、畳を床面材とする和室と、床板を床面材とする洋室とを、床面の段差なく並置できる。
【００１９】
【発明の実施の形態】
図１は第１実施形態を一部破断して示す斜視図、図２は床小梁を示し、（Ａ）は正面図、（Ｂ）は端面図、図３は接続具を示し、（Ａ）は側面図、（Ｂ）は正面図、図４は床大梁への床小梁の取付構造を示す斜視図、図５は床小梁の接続仕口を示す斜視図、図６は第２実施形態を示す断面図、図７は第３実施形態を示す断面図、図８は第４実施形態を示す断面図、図９は第５実施形態を一部破断して示す斜視図、図１０は第６実施形態を一部破断して示す斜視図、図１１は床受部品を示し、（Ａ）は正面図、（Ｂ）は平面図、（Ｃ）は側面図である。
【００２０】
（第１実施形態）（図１〜図５）
建物ユニット１０は、例えば、４本の角鋼管等からなる柱１１と、４本の形鋼等からなる床大梁１２と、４本の形鋼等からなる天井大梁（不図示）を箱型に接合した骨組構造体である。このとき、床大梁１２は、リップ付Ｃ形鋼からなり、ウエブ１２Ａ、上下のフランジ１２Ｂ、１２Ｃ、上下のリップ１２Ｄ、１２Ｅを有する。
【００２１】
建物ユニット１０の床構造は、図１に示す如く、相対する床大梁１２に床小梁１３を掛け渡し支持し、床小梁１３の上に床板等の床面材１４を支持して構成される。このとき、床小梁１３は、図２に示す如く、リップ付Ｃ形鋼からなり、ウエブ１３Ａ、上下のフランジ１３Ｂ、１３Ｃ、上下のリップ１３Ｄ、１３Ｅを有し、ウエブ１３Ａの長手方向に一定の間隔を置いて複数の設備用孔１３Ｆを貫通形成している。
【００２２】
そして、本実施形態にあっては、床大梁１２に床小梁１３を支持するに際し、床小梁１３の上面（上フランジ１３Ｂ）を床大梁１２の上面（上フランジ１２Ｂ）よりも高位に設置し、結果として、床大梁１２の上部、床面材１４の下方に設備用スペース１５を形成することとしている。具体的には、図３に示す如くのコの字断面状接続具１６を用い、接続具１６の両側立上り板１６Ａ、１６Ｂの間に床小梁１３の端部を挟み、床小梁１３のウエブ１３Ａを立上り板１６Ａに、床小梁１３のリップ１３Ｄを立上り板１６Ｂにリベット等により取着し、接続具１６の正面板１６Ｃを床大梁１２のウエブ１２Ａにリベット等により取着するに際し、床小梁１３の上フランジ１３Ｂが床大梁１２の上フランジ１２Ｂよりも高位になるように設置したものである。本実施形態では、床大梁１２のウエブ１２Ａに床小梁１３の接続具１６を上述の如くに簡易に取付け可能とするため、床大梁１２のウエブ１２Ａの側を建物ユニット１０の内側に向けて配置してある。
【００２３】
本実施形態において、床小梁１３は接続具１６を用いることなく、図５に示す如く、床小梁１３のウエブ１３Ａを両端部で曲げ成形することにより該ウエブ１３Ａに接続部１７を形成し、この接続部１７を床大梁１２のウエブ１２Ａにリベット等により直接的に取着するものとしても良い。
【００２４】
尚、本実施形態では、床大梁１２に対し床小梁１３を約300mm 間隔で設置し、床小梁１３のウエブ１３Ａに設ける設備用孔１３Ｆも約300mm 間隔とし、また床大梁１２のウエブ１２Ａにも約300mm 間隔で設備用孔１２Ｆを設けるものとし、配管、配線等の配管類１の設置ルートを一定のルールで設定可能としている。
【００２５】
従って、本実施形態によれば以下の作用がある。
▲１▼床大梁１２に床小梁１３を支持し、床小梁１３に床面材１４を支持するに際し、単に、床小梁１３の上面を床大梁１２の上面よりも高位に設置することにより、床小梁１３を凸字形状にすることなく、床大梁１２の上部、床面材１４の下方に設備用スペース１５を形成できる。
【００２６】
▲２▼上記▲１▼において、床小梁１３は上面に凹凸のない、製造容易な簡易な構成となり、また切欠効果による断面強度の低下を伴うこともない。
【００２７】
▲３▼上記▲１▼において、床小梁１３は通常、床大梁１２より低剛性で足りるから、その梁背は床大梁１２より高くならず、結果として、床小梁１３の下面は床大梁１２の下面より高位となり、床小梁１３の下側に一定の隙間を形成するものとなり、この隙間を設備用スペース１５として利用することもできる。これにより、床下における配管類の設置ルートの自由度が高くなる。
【００２８】
▲４▼床小梁１３に設備用孔１３Ｆを貫通形成したことにより、床下における配管類の設置ルートを多様に設定できる。
【００２９】
（第２実施形態）（図６）
第２実施形態が第１実施形態と異なる点は、建物ユニット１０の床大梁１２がリップ無しのＣ形鋼からなるものであること、床大梁１２のウエブ１２Ａの側を建物ユニット１０の外側に向けて配置したこと、床小梁１３の両端部にリップ無しのＣ形鋼からなる接続具２１を溶接等により取着し、この接続具２１の上下のフランジを床大梁１２の上下のフランジに抱き合わせるように重ねて取着し、結果として、床小梁１３の上面を床大梁１２の上面よりも高位に設置したことにある。
【００３０】
（第３実施形態）（図７）
第３実施形態が第１実施形態と異なる点は、床小梁１３の両端部を床大梁１２のウエブ１２Ａに溶接等により直接的に取着し、結果として、床小梁１３の上面を床大梁１２の上面よりも高位に設置したことにある。
【００３１】
（第４実施形態）（図８）
第４実施形態が第１実施形態と異なる点は、床小梁１３を上下の長尺板３１、３２と、それら長尺板３１、３２の間にジグザグ状をなすように接合される平板３３とからなる制振加締め接合によるラチス梁とし、長尺梁３１と長尺梁３２と平板３３に囲まれる空間を設備用孔３４として用いるようにしたこと、この床小梁１３の両端部を床大梁１２のウエブ１２Ａに溶接等により直接的に取着し、結果として、床小梁１３の上面を床大梁１２の上面よりも高位に設置したことにある。
【００３２】
（第５実施形態）（図９）
第５実施形態は、建物ユニット１０の床構造において、相対する床大梁１２に床小梁１３を掛け渡し支持し、床小梁１３の上に畳１４Ａ、床板１４Ｂ等の床面材１４を支持せしめるに際し、床受部品４０を用いたものである。即ち、床大梁１２に床小梁１３を支持するに際し、床大梁１２の上面と床小梁１３の上面とを略同一面とする状態下で、床小梁１３の上面に床受部品４０をかしめ接合等により取着し、この床受部品４０に床面材１４を支持し、結果として、床大梁１２の上部、床面材１２の下方に設備用スペース４１を形成したものである。
【００３３】
床受部品４０は、板金加工により形成され、上面板４０Ａの両側に両側板４０Ｂ、４０Ｂを立下げ、両側板４０Ｂ、４０Ｂの下端部から外方に両脚板４０Ｃ、４０Ｃを広げて構成され、両脚板４０Ｃ、４０Ｃを床小梁１３の上面にかしめ接合可能とされるものである。
【００３４】
床大梁１２、床小梁１３には、第１実施形態と同様に、設備用孔１２Ｆ、１３Ｆが設けられる。
【００３５】
このとき、第５実施形態では、床小梁１３の上に厚肉床面材としての畳１４Ａと薄肉床面材としての床板１４Ｂを並置できる。畳１４Ａは床小梁１３の上に床下地板４２を介して支持され、床板１４Ｂは床小梁１３の上に床受部品４０を介して支持され、畳１４Ａと床板１４Ｂの正面の地上げ面高さを揃えるように設定される。尚、畳１４Ａと床板１４Ｂの境界部で、床板１４Ｂは床小梁１３の上に床下地板４２、スペーサ４３を介して支持されるようになっている。
【００３６】
従って、本実施形態によれば以下の作用がある。
▲１▼床大梁１２に床小梁１３を支持し、床小梁１３に床面材１４を支持するに際し、床小梁１３と床大梁１２との間に床受部品４０を介装するものであり、床小梁１３を凸字形状にすることなく、床大梁１２の上部、床面材１４の下方に設備用スペース４１を形成できる。
【００３７】
▲２▼上記▲１▼において、床小梁１３は上面に凹凸のない、正常容易な簡易な構成となり、また切欠効果による断面強度の低下を伴うこともない。
【００３８】
▲３▼上記▲１▼において、床小梁１３の床受部品４０が設けられない部分と床面材１４との間に、床受部品４０の背の高さに応ずる一定の隙間を形成するものとなり、この隙間を設備用スペース４１として利用することもできる。従って、床下における配管類の設置ルートの自由度が高くなり、かつ配管類を床小梁１３の上に単に乗せるだけで簡易に設備できるものともなる。
【００３９】
▲４▼床小梁１３に設備用孔１３Ｆを貫通形成したことにより、床下における配管類の設置ルートを多様に設定できる。
【００４０】
▲５▼床小梁１３の上における床受部品４０の有無、或いは床受部品４０の背の高さの大小の選定により、同一床小梁１３の上で畳１４Ａと床板１４Ｂとを並置し、かつそれらの表面の仕上面高さを揃えることができる。従って、同一建物ユニット１０内で畳１４Ａを床面材１４とする和室と、床板１４Ｂを床面材１４とする洋室とを、床面の段差なく並置できる。
【００４１】
（第６実施形態）（図１０）
第６実施形態が第５実施形態と異なる点は、床小梁１３を上下の長尺板５１、５２と、それら長尺板５１、５２の間にジグザグ状をなすように接合される平板５３とからなる制振加締め接合によるラチス梁とし、長尺板５１と長尺板５２と平板５３に囲まれる空間を設備用孔５４として用いるようにしたことにある。
【００４２】
図１１は、床受部品４０の変形例に係る床受部品６０である。床受部品６０は、板金加工により形成され、上面板６０Ａの両側に両側板６０Ｂ、６０Ｂを立下げ、両側板６０Ｂ、６０Ｂの下端部から水平板６０Ｃ、鉛直板６０Ｄを延在して構成されたものである。床受部品６０は、水平板６０Ｃを床小梁１３の上面に載せ、鉛直板６０Ｄを床小梁１３の側面に沿わせてかしめ接合することにて、床小梁１３に取着される。
【００４３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、床小梁は角鋼管、Ｉ形鋼、Ｈ形鋼等いかなる断面からなるものであっても良い。また、床小梁は鋼製に限らず、木製ランバー材であっても良い。また、床受部品も鋼製に限らず、木製、もしくは鋼製と木製の組合せからなる複合材等であっても良い。また、床受部品の例えば床小梁取着面に、制振ゴム等の振動吸収材を貼り合わせてなるものとし、床振動や床衝撃音を軽減させるものであっても良い。
【００４４】
また、かしめ接合の採用により、下孔が不用となり、床受部品取付けの機械化、自動組立が容易になる。
【００４５】
【発明の効果】
以上のように本発明によれば、床構成材の構成を簡素にするとともに、その断面強度を損なうことなく、床面材の下方に簡易に設備用スペースを形成することができる。
【００４６】
尚、本発明において、設備用スペースに設置される配管類は、給水管、給湯管、ガス管、排水管、電気配線等多様であり、配管類の設置ルートの自由度の向上により、例えば、排水管の勾配も取り易い。
【図面の簡単な説明】
【図１】図１は第１実施形態を一部破断して示す斜視図である。
【図２】図２は床小梁を示し、（Ａ）は正面図、（Ｂ）は端面図である。
【図３】図３は接続具を示し、（Ａ）は側面図、（Ｂ）は正面図である。
【図４】図４は床大梁への床小梁の取付構造を示す斜視図である。
【図５】図５は床小梁の接続仕口を示す斜視図である。
【図６】図６は第２実施形態を示す断面図である。
【図７】図７は第３実施形態を示す断面図である。
【図８】図８は第４実施形態を示す断面図である。
【図９】図９は第５実施形態を一部破断して示す斜視図である。
【図１０】図１０は第６実施形態を一部破断して示す斜視図である。
【図１１】図１１は床受部品を示し、（Ａ）は正面図、（Ｂ）は平面図、（Ｃ）は側面図である。
【符号の説明】
１０  建物ユニット
１２  床大梁
１３  床小梁
１３Ｆ、３４、５４  設備用孔
１４  床面材
１４Ａ  畳（厚肉床面材）
１４Ｂ  床板（薄肉床面材）
１５、４１  設備用スペース
４０、６０  床受部品
【図１】
0003940511.tif 000002
【図２】
0003940511.tif 000003
【図３】
0003940511.tif 000004
【図４】
0003940511.tif 000005
【図５】
0003940511.tif 000006
【図６】
0003940511.tif 000007
【図７】
0003940511.tif 000008
【図８】
0003940511.tif 000009
【図９】
0003940511.tif 000010
【図１０】
0003940511.tif 000011
【図１１】
0003940511.tif 000012